(57)【要約】【課題】Ｉ／Ｐ変換することなく、画質を維持しつつ単純な構成で受信したインターレース方式の映像をダイレクトに表示する。【解決手段】行方向及び列方向において赤色（Ｒ）、緑色（Ｇ）、青色（Ｂ）の順に繰り返し複数配置されたサブ画素１０において、配置形状がＬ字形状又は逆Ｌ字形状を呈する隣接したＲ，Ｇ，Ｂの３色のサブ画素１０を１つの画素１５として構成し、インターレース方式で受信した奇数行の映像及び偶数行の映像をＬＣＤ５に表示させる映像処理部４を備える。【選択図】図２
2007102005.tif 000002
【特許請求の範囲】
【請求項１】
赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた表示装置において、
前記サブ画素は、行方向及び列方向において赤色、緑色、青色の順に繰り返し配置され、
前記画素は、前記３色のサブ画素の配置形状がＬ字形状又は逆Ｌ字形状を呈し、行方向に隣接する逆Ｌ字形状又はＬ字形状の画素と矩形を形成し、
前記出力手段は、インターレース方式において受信した奇数行の映像及び偶数行の映像を表示する際、受信した奇数行の映像を表示する奇数フィールド表示において構成する前記画素の位置に対し、受信した偶数行の映像を表示する偶数フィールド表示において構成する前記画素の位置を１行ずらし、前記奇数フィールド表示において最終行のサブ画素の表示を１行上のサブ画素の表示と同様にし、前記偶数フィールド表示において１行目のサブ画素の表示を１行下のサブ画素の表示と同様にすることを特徴とする表示装置。
【請求項２】
赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた表示装置において、
前記サブ画素は、行方向及び列方向において赤色、緑色、青色の順に繰り返し配置され、
前記画素は、前記３色のサブ画素の配置形状がＬ字形状又は逆Ｌ字形状を呈し、行方向に隣接する逆Ｌ字形状又はＬ字形状の画素と矩形を形成することを特徴とする表示装置。
【請求項３】
前記出力手段は、インターレース方式において受信した奇数行の映像及び偶数行の映像を表示する際、受信した奇数行の映像を表示する奇数フィールド表示において構成する前記画素の位置に対し、受信した偶数行の映像を表示する偶数フィールド表示において構成する前記画素の位置を１行ずらすことを特徴とする請求項１に記載の表示装置。
【請求項４】
前記出力手段は、前記奇数フィールド表示において最終行のサブ画素の表示を１行上のサブ画素の表示と同様にし、前記偶数フィールド表示において１行目のサブ画素の表示を１行下のサブ画素の表示と同様にすることを特徴とする請求項２に記載の表示装置。
【発明の詳細な説明】
【技術分野】
【０００１】
この発明は、液晶テレビやプラズマテレビ等の映像を表示する表示装置に関する。
【背景技術】
【０００２】
液晶テレビやプラズマテレビ等の映像を表示する表示装置は、Ｉ（Interlace）／Ｐ（Progressive）変換手段を備え、インターレース方式で送信されるテレビ放送信号に基づく映像をＩ／Ｐ変換した後に画面に表示する。これは、ブラウン管のテレビと異なり、液晶テレビ等の表示装置にインターレース方式の映像をダイレクトに表示させようとすると、奇数行の映像を表示させるための出力回路、偶数行の映像を表示させるための出力回路が必要になる等、回路構成が複雑になってコストアップするからである。
【０００３】
上述のような表示装置には、ストライプ型配列やモザイク型配列等、赤色（Ｒ）、緑色（Ｇ）、青色（Ｂ）の３色のサブ画素が行方向、列方向に複数配置され、行方向に隣接するＲ，Ｇ，Ｂの３色のサブ画素を１つの画素として映像を表示する構成のものがある（例えば、特許文献１参照。）。また、Ｒ，Ｇ，Ｂの３色のサブ画素に白色（Ｗ）のサブ画素を加え、Ｒ，Ｇ，Ｂ，Ｗのサブ画素で１つの画素を構成するものもある（例えば、特許文献２参照。）。
【特許文献１】特開２００４−３１７７２６号公報
【特許文献２】特開２００４−１０２２９２号公報
【発明の開示】
【発明が解決しようとする課題】
【０００４】
しかしながら、特許文献１等に記載されている従来の表示装置では、Ｉ／Ｐ変換回路を用いてＩ／Ｐ変換を行った後でなければテレビ放送信号に基づく映像を表示することができない。そのため、Ｉ／Ｐ変換手段を設ける分だけコストアップしてしまう。また、受信したテレビ放送信号に基づく映像をＩ／Ｐ変換すると、映像にギザギザ感が生じる等の画像劣化が生じる場合がある。
【０００５】
この発明の目的は、Ｉ／Ｐ変換することなく、画質を維持しつつ単純な構成で受信したインターレース方式の映像をダイレクトに表示することができる表示装置を提供することにある。
【課題を解決するための手段】
【０００６】
この発明は、上記課題を解決するために以下の構成を備えている。
【０００７】
（１）赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた表示装置において、
前記サブ画素は、行方向及び列方向において赤色、緑色、青色の順に繰り返し配置され、
前記画素は、前記３色のサブ画素の配置形状がＬ字形状又は逆Ｌ字形状を呈し、行方向に隣接する逆Ｌ字形状又はＬ字形状の画素と矩形を形成することを特徴とする。
【０００８】
この構成においては、赤色（Ｒ）、緑色（Ｇ）、青色（Ｂ）のサブ画素が行方向及び列方向に赤色、緑色、青色の順に繰り返して複数配置され、配置形状がＬ字形状又は逆Ｌ字形状を呈するように隣接するＲ、Ｇ、Ｂの３色のサブ画素が１つの画素として構成される。また、行方向に隣接するＬ字形状の画素と逆Ｌ字形状の画素とで矩形が形成される。
【０００９】
したがって、Ｒ，Ｇ，Ｂの各サブ画素が行方向及び列方向に同順に配置されているので、Ｌ字形状又は逆Ｌ字形状の画素の位置を自由に変更して映像を表示できる。例えばインターレース方式において受信した奇数行の映像及び偶数行の映像を表示する際、受信した奇数行の映像を表示する奇数フィールド表示と、受信した偶数行の映像を表示する偶数フィールド表示とにおいて、各フィールド表示において構成される画素の位置を１行ずらして映像を表示できる。これにより、インターレース方式において受信した映像をＩ／Ｐ変換することなく単純な構成でダイレクトに表示することができる。
【００１０】
（２）前記出力手段は、インターレース方式において受信した奇数行の映像及び偶数行の映像を表示する際、受信した奇数行の映像を表示する奇数フィールド表示において構成する前記画素の位置に対し、受信した偶数行の映像を表示する偶数フィールド表示において構成する前記画素の位置を１行ずらすことを特徴とする。
【００１１】
この構成においては、各フィールド表示で構成される画素の位置が１行ずれている。また、画素は、Ｌ字形状又は逆Ｌ字形状であるので２行にわたって構成されていることから、奇数行の映像を表示する画素の行方向のラインは、列方向に連続した状態となる。同様に偶数行の映像を表示する画素の行方向のラインも、列方向に連続した状態となる。
【００１２】
したがって、奇数フィールド表示及び偶数フィールド表示において、出力手段が行を飛ばして映像を表示する必要がなく、各フィールドにおいて複雑な処理を行うことなく連続した映像を出力することができるので、奇数フィールド表示及び偶数フィールド表示のそれぞれのための出力回路等を設ける必要がない。また、視聴者には奇数行の映像と偶数行の映像とが一部重なった状態で認識されるので、表示された映像を滑らかな映像として認識させることができる。これにより、インターレース方式において受信した映像を、画質を維持し且つＩ／Ｐ変換することなくダイレクトに表示することができる。
【００１３】
（３）前記出力手段は、前記奇数フィールド表示において最終行のサブ画素の表示を１行上のサブ画素の表示と同様にし、前記偶数フィールド表示において１行目のサブ画素の表示を１行下のサブ画素の表示と同様にすることを特徴とする。
【００１４】
この構成においては、奇数フィールド表示におけるＬ字形状又は逆Ｌ字形状の画素が１行目から構成され、偶数フィールド表示におけるＬ字形状又は逆Ｌ字形状の画素が１行ずらした２行目から構成される。そのため、奇数フィールド表示において、最終行だけ余ってしまうため画素を構成することができないが、１行上のサブ画素と同様に表示するので、列方向の映像の幅が狭まることを防止できる。また、偶数フィールドにおいても、１行目だけ余ってしまうため画素を構成することができないが、１行下のサブ画素と同様に表示されるので、列方向の映像の幅が狭まることを防止できる。
【発明の効果】
【００１５】
この発明によれば、Ｉ／Ｐ変換手段を設けることなく、画質を維持しつつ単純な構成でインターレース方式における映像をダイレクトに表示することができ、コストを低減することができる。
【発明を実施するための最良の形態】
【００１６】
以下、この発明の実施形態に係る表示装置を適用した液晶テレビについて説明する。
【００１７】
図１は、この発明の実施形態に係る液晶テレビの主要部の構成を示すブロック図である。液晶テレビ１は、装置本体の動作を制御する制御部２と、選択されているチャンネルのテレビ放送信号を図示しないアンテナを介して受信したテレビ放送信号から抽出し、出力するチューナ３と、該チューナ３が出力したテレビ放送信号に基づく映像をＬＣＤ（Liquid Crystal Display）５に表示する映像処理部４と、該チューナ３が出力したテレビ放送信号に基づく音声をスピーカ７から出力する音声処理部６と、を備えている。また、液晶テレビ１は、図示しないリモコンから送信されてきた制御コマンドを受信する図示しないリモコン受信部等を備えている。
【００１８】
映像処理部４及びＬＣＤ５がこの発明の出力手段に相当する。制御部２は、リモコン受信部で受信した制御コマンドに応じて、電源のオン／オフ、チャンネルの切換、音量のアップ／ダウン等を制御する。
【００１９】
図２は、この発明の実施形態に係る液晶テレビ１の画素の配列の一部を示す説明図である。ＬＣＤ５には、同図に示すように赤色（Ｒ），緑色（Ｇ）、青色（Ｂ）のフィルタを有するサブ画素１０が形成され、行方向及び列方向に複数配置されている。各色のサブ画素５１は、同一の形状であり、行方向及び列方向にＲ，Ｇ，Ｂの順に繰り返し配置されている。
【００２０】
また、ＬＣＤ５は、隣接するＲ，Ｇ，Ｂの３色のサブ画素１０を１つの画素１５とし、受信した映像を表示する。画素１５は、Ｌ字形状、逆Ｌ字形状を呈し、行方向に隣接する画素１５と２行×３列の矩形を形成する。この２画素分の２行×３列の矩形の面積は、図４に示す従来のストライプ型配列の画素の２画素分の面積に等しい。
【００２１】
図３は、この発明の実施形態に係る液晶テレビ１におけるインターレース方式で送られてくるテレビ放送の映像の表示方法の説明図である。ここでは、チューナ３が受信するテレビ放送信号は、インターレース方式の信号である。映像処理部４は、受信した奇数行の映像を表示する奇数フィールド表示と、受信した偶数行の映像を表示する偶数フィールド表示とをＬＣＤ５に交互に行う。
【００２２】
奇数フィールド表示において、映像処理部４は、図３（Ａ）に示すように、画素１５を奇数行となる１行目以降のサブ画素１０を用いて構成し、全ての画素１５に奇数行の映像を表示する。ここで、構成された画素１５の行方向のラインのうち奇数ライン（１，３，・・・）に対応する奇数行の映像を表示させる。また、構成された画素１５の行方向のラインのうち偶数ライン（２，４，・・・）には、１つ上または１つ下の奇数ラインに表示させる映像を表示させる。したがって、隣接する２ラインに配置されている画素１５に同一の映像が表示される。
【００２３】
なお、サブ画素１０が配置された行数は奇数であり、最終行が余ってしまうために画素１５を構成できないので最終行のサブ画素１０には映像を表示しない。
【００２４】
一方、偶数フィールド表示において、映像処理部４は、図３（Ｂ）に示すように、画素１５を偶数行となる２行目以降のサブ画素１０を用いて構成し、全ての画素１５に偶数行の映像を表示する。つまり、奇数フィールド表示において構成される画素１５の位置に対して１行ずらして画素１５が構成されている。ここで、構成された画素１５の行方向のラインのうち奇数ライン（１，３，・・・）に対応する偶数行の映像を表示させる。また、構成された画素１５の行方向のラインのうち偶数ライン（２，４，・・・）には、１つ上または１つ下の奇数ラインに表示させる映像を表示させる。したがって、隣接する２ラインに配置された画素１５に同一の映像が表示される。
【００２５】
なお、１行目は余ってしまうために画素１５を構成できないので１行目のサブ画素１０には映像を表示しない。
【００２６】
これによって、奇数フィールド表示及び偶数フィールド表示において、映像処理部４が受信した放送信号の映像を行を飛ばして表示する必要がなく、各フィールドにおいて複雑な処理を行うことなく連続した映像を表示することができるので、奇数フィールド表示及び偶数フィールド表示のそれぞれのための出力回路等を設ける必要がない。
【００２７】
また、視聴者には奇数行の映像と偶数行の映像とが一部重なった状態で認識されるので、表示された映像を滑らかな映像として認識させることができる。これにより、インターレース方式において受信した映像をＩ／Ｐ変換することなく、画質を維持しつつ単純な構成でダイレクトに表示することができ、コストを低減することができる
本実施形態では、各フィールド表示において、偶数ラインに１つ上の奇数ラインに表示させる映像と同じ映像を表示しているが、特にこれに限定されるものではなく、例えば白色画像を表示してもよい。なお、奇数行の映像及び偶数行の映像を交互に表示しているため視聴者には白色画像は認識されないので、表示された映像の画質が低下することはない。
【００２８】
また、本実施形態では、奇数フィールド表示において、最終行のサブ画素１０を使用していないが、特にこれに限定されるものではない。例えば、最終行の１行上のサブ画素１０において表示される映像と同様の映像を表示させてもよい。最終行のサブ画素１０と１行上のサブ画素１０は、図３（Ａ）に示すようにＲ，Ｇ，Ｂの各色のサブ画素１０の行方向の配置位置が異なっているが、各色のサブ画素１０の配置数は等しいので、行の左端から最終行の各色のサブ画素１０と１行上の各色のサブ画素１０とを対応付ける。サブ画素１０は、Ｒ，Ｇ，Ｂの順に繰り返し配置されているので、対応する１行上のサブ画素１０との配置位置が大きくずれることはないので、最終行のサブ画素１０に１行上のサブ画素１０に表示される映像と同様の映像を表示させることができる。これにより、画質を劣化させることなく、列方向の映像の幅が減少することを防止することができる。
【００２９】
さらに、偶数フィールド表示における１行目のサブ画素１０についても上述と同様の構成で１行下（２行目）のサブ画素１０において表示される映像と同様の映像を表示させても上述と同様の効果を得ることができる。
【００３０】
なお、映像処理部４は、公知の技術を用いてＤＶＤ再生装置等から送信されたプログレッシブ方式の映像をＬＣＤ５に表示させることも可能である。
【００３１】
本実施形態では液晶テレビ１を用いて説明しているが、プラズマテレビに適用しても上述と同様の効果を奏することができる。
【図面の簡単な説明】
【００３２】
【図１】この発明の実施形態に係る液晶テレビの主要部の構成を示すブロック図である。
【図２】同液晶テレビの画素の配列の一部を示す説明図である。
【図３】同液晶テレビにおけるインターレース方式で送られてくるテレビ放送の映像の表示方法の説明図である。
【図４】従来のストライプ型の画素配列を示す説明図である。
【符号の説明】
【００３３】
１−液晶テレビ
２−制御部
３−チューナ
４−映像処理部
５−ＬＣＤ
１０−サブ画素
１５−画素
【図１】
2007102005.tif 000003
【図２】
2007102005.tif 000004
【図３】
2007102005.tif 000005
【図４】
2007102005.tif 000006